(57)【要約】【課題】  散布機で噴霧された薬剤粒子の周囲への飛散を効果的に防止できる装置を提供する。【解決手段】  後端部には薬剤タンクを接続するとともに先端部１ａには噴出口２を形成した薬剤誘導用のパイプ１の先端部１ａに、先端側が広がったラッパ状を成す散布カバー３の細径側の基端部３ａを直接又は着脱可能に被着し、前記散布カバー３の広径側の先端部３ｂに、散布圧力では捲くれ上がらない程度の強度を備えるとともに固体に当たると変形する程度の弾力性を備えた略同長の多数の剛毛５を、散布カバーの先端方向に向けて散布カバー３の先方内部空間を覆うように全周にほぼ隙間なく並べて被着した薬剤粒子の飛散遮断部４を形成する。そして、噴出された薬剤の粒子が飛散遮断部４で補足され周囲へ飛散されないようにする。【選択図】    図４
0003128425.tif 000002
【実用新案登録請求の範囲】
【請求項１】
細径側の基端部を薬剤誘導用のパイプの噴出口側先端部に直接又は着脱可能に被着したラッパ状散布カバーの広径側の先端部に、散布圧力では捲くれ上がらない強度を備えるとともに固体に当たると変形する弾力性を備えた略同長な剛毛を該カバーの先端方向に向けて全周に隙間なく被着した飛散遮断部を形成したことを特徴とする薬剤散布ノズル用薬剤飛散防止装置。
【請求項２】
散布カバーの先端部に植毛穴を開け、該植毛穴の剛毛の基端部を差し込んで、前記散布カバーの先端部に剛毛を固着したことを特徴とする請求項１に記載の薬剤散布ノズル用薬剤飛散防止装置。
【請求項３】
植毛穴に数本を束にした剛毛の基端部を差し込んで、前記散布カバーの先端部に固着したことを特徴とする請求項２に記載の薬剤散布ノズル用薬剤飛散防止装置。
【請求項４】
散布カバーの先端部の外面又は内面に剛毛の基端部を固着したことを特徴とする請求項１に記載の薬剤散布ノズル用薬剤飛散防止装置。
【請求項５】
散布カバーの先端部の外面又は内面に、剛毛の基端を略同間隔に幅を持たせて外面又は内面に接触状態に配設するとともに該剛毛の基端部を外面又は内面の先端部の中間部位に固着したことを特徴とする請求項１に記載の薬剤散布ノズル用薬剤飛散防止装置。
【請求項６】
一方端部側に剛毛を剛毛固着板に隙間なく並べて固着し、該剛毛固着板を、散布カバーの先端部へ固定手段を介して着脱可能に配設したことを特徴とする請求項１に記載の薬剤散布ノズル用薬剤飛散防止装置。
【請求項７】
剛毛に、先端部が０．２ｍｍ〜０．５ｍｍ程度で且つ基端部がそれよりも太い径の合成樹脂製の材料を用いたことを特徴とする請求項１から６のうちいずれか１項に記載の薬剤散布ノズル用薬剤飛散防止装置。
【請求項８】
剛毛の長さを、散布対象植物の背丈と略同等としたことを特徴とする請求項１から７のうちいずれか１項に記載の薬剤散布ノズル用薬剤飛散防止装置。
【考案の詳細な説明】
【技術分野】
【０００１】
本考案は、除草剤などの薬剤を散布する散布機の散布ノズル部分に用いる薬剤の飛散防止装置に関する。
【背景技術】
【０００２】
除草剤を散布機で散布する際に、散布ノズルから噴霧された液体や粉体の細かい粒子が土表面や草にあたって周囲に飛散及び拡散し、その薬剤が他の栽培作物や人体に付着して薬害か発生することがあった。
そこで、散布ノズル部分にスカート状のカバーを被着し、噴霧された薬剤粒子がそのカバーに遮られて周囲に飛び散らないようにしようとした下記特許文献１に記載の噴霧カバーや、そのようなカバーの先にさらにゴム上の保護カバーを左右両側に設けた記特許文献１に記載の噴霧カバーが提案されている。
【特許文献１】特開平１１−５６２０５号公報
【特許文献２】特開２００３−２３５４３２号公報
【考案の開示】
【考案が解決しようとする課題】
【０００３】
しかし、上記特許文献１の噴霧カバーは、散布機で噴霧された液体や粉体の細かい粒子が草木の隙間から周囲に飛散するのを防止することができない難点があった。
また、上記特許文献２の噴霧カバーでは、左右にゴム上の保護カバーを設けることによって、その保護カバーが付いている部分からは噴霧された薬剤粒子の飛散は上記特許文献１の噴霧カバーよりは多少防げるようになったかもしれないが、前後両端側が開放されているために、この部分の隙間からの飛散は防止することができない欠点があった。またその保護カバーの下に草木があるとその周囲には必ず隙間ができるのでこの保護カバーによる薬剤飛散の防止の効果を充分に上げることはではなかった。
そこで、本考案は上記従来の噴霧カバーの問題点を解消するために、散布機で噴霧された細かい薬剤の粒子が周囲へ殆ど飛散することのない装置を提供することを目的とする。
【課題を解決するための手段】
【０００４】
上記課題を解決するため本考案の薬剤散布ノズル用薬剤飛散防止装置は、細径側の基端部を薬剤誘導用のパイプの噴出口側先端部に直接又は着脱可能に被着したラッパ状の散布カバーの広径側の先端部に、散布圧力では捲くれ上がらない強度を備えるとともに固体に当たると変形する弾力性を備えた略同長な剛毛を該カバーの先端方向に向けて全周に隙間なく被着した飛散遮断部を形成したことを特徴とする。
【０００５】
請求項２に記載の考案は、上記考案の構成において、前記散布カバーの先端部に植毛穴を開け、該植毛穴の剛毛の基端部を差し込んで、前記散布カバーの先端部に剛毛を固着したことを特徴とする。
【０００６】
請求項３に記載の考案は、上記考案の構成において、前記植毛穴に数本を束にした剛毛の基端部を差し込んで、前記散布カバーの先端部に固着したことを特徴とする。
【０００７】
請求項４に記載の考案は、上記考案の構成において、前記散布カバーの先端部の外面又は内面に剛毛の基端部を固着したことを特徴とする。
【０００８】
請求項５に記載の考案は、上記考案の構成において、前記散布カバーの先端部の外面又は内面に、剛毛の基端を略同間隔に幅を持たせて外面又は内面に接触状態に配設するとともに該剛毛の基端部を外面又は内面の先端部の中間部位に固着したことを特徴とする。
【０００９】
請求項６に記載の考案は、上記考案の構成において、一方端部側に剛毛を隙間なく並べて固着した剛毛固着板を、散布カバーの先端部へ固定手段を介して着脱可能に配設したことを特徴とする。
【００１０】
請求項７に記載の考案は、上記考案の構成において、前記剛毛に、先端部が０．２ｍｍ〜０．５ｍｍ程度で且つ基端部がそれよりも太い径の合成樹脂製の材料を用いたことを特徴とする。
【００１１】
請求項８に記載の考案は、上記考案の構成において、前記剛毛の長さを、散布対象植物の背丈と略同等としたことを特徴とする。
【考案の効果】
【００１２】
本考案は、前記散布カバーの先端部に飛散遮断部の剛毛が散布カバーの先方内部空間を覆うように全周にほぼ隙間なく並べて被着してあるので、その剛毛が草や地面などに当たるとその部分だけが湾曲し、他の部分は変形しないで揃った状態となって飛散する隙間の発生が極力防止される結果、噴出された液体や粉体の細かい薬剤粒子が飛散遮断部の剛毛に補足されて、散布カバーの内部空間外への飛散が防止される。
このため散布時の薬剤漏れによる周囲への薬害の発生のおそれが殆どなくなった。
また、散布の際に粒子と共に噴出された空気は剛毛の僅かに変形した狭い隙間から拡散されるので散布カバーの内部空間内の散布圧が高まることなく噴出口から散布されるので、散布機の散布機能に支障を起こすことはない。
【００１３】
例えば畦の雑草の除草では、畦の雑草だけに対して除草剤が散布でき、その周囲の畑の農産物へは薬剤が飛散せず、農産物への損傷を最小限に抑えること可能となる。
また草の葉や根元に必要な薬剤を集中して散布できるようになるため、最小限の除草剤の使用量で散布でき、過剰な薬剤使用を防止し、使用薬剤の節約にも大きく寄与する。
さらに、薬剤が液体の場合では、前記飛散遮断部の剛毛には散布された薬剤が一旦補足され、その薬液は刷毛のように草などに塗り付けて使用することができる。このように塗ることで、最小限の薬液で除草効果を得ることが可能となる。
【００１４】
そのさい請求項５に記載の考案では、背の高い雑草を前記散布カバーの先端部で押さえて、その下の草の隙間を剛毛で遮断でき、背の低い雑草では前記散布カバーの先端部で撫でるように押さえて隙間の発生うぃ最小限にでき、薬剤の粒子が外に飛び出すのを防止することができる。
【００１５】
請求項６に記載の考案では、剛毛を並べた剛毛固着板が散布カバーの先端部へ着脱可能なので、使用中に剛毛の一部が損傷した場合その部分の修理が簡単にでき、また製造上において、散布カバーの先端部に剛毛を直接固定するのは面倒であるが、先に剛毛付き剛毛固着板を作成して置けばそのまま散布カバーの先端部へ固定手段を用いて簡単に装着可能となる利点がある。
【００１６】
また、請求項７に記載の考案では、剛毛の先端部が草に当たるとその草で押された先端部のみ大きく湾曲変形されるが、剛毛の基部側はあまり曲がることなく揃った状態となって、薬剤の粒子が外に飛び出すのをより効果的に防止できるようになる。
【考案を実施するための最良の形態】
【００１７】
本考案の実施の形態を図によって説明する。
本考案の薬剤散布ノズル用薬剤飛散防止装置について、薬剤が液体の場合で説明すると、図１に示すように、人の背に除草剤などの農薬を入れた薬剤タンク１１を背負い、移動しつつ手で柔軟なパイプ１２の先に金属製の薬剤誘導用のパイプ１が繋がれ、その先端１ａに開口する噴出口２部分にさらに、先端部３ｂが長さ２０ｃｍ程度で先端が２５〜３０ｃｍ程度に広がったラッパ状の樹脂製の散布カバー３が連結される。
そして、図４に示すように、前記散布カバー３の広径側の先端部３ｂに、噴霧圧力では捲くれ上がらない程度の強度を備えるとともに固体に当たると変形する程度の弾力性を備えた略１０ｃｍ程度に切り揃えた多数の剛毛５を、カバーの先端方向に向けて散布カバー３の先方内部空間を覆うように全周にほぼ隙間なく並べて被着した薬剤粒子の飛散遮断部４を形成する。
【００１８】
前記散布カバー３の先端部３ｂへの剛毛５の取付けは、図４に示すように、植毛穴６を開け、該植毛穴６の剛毛５の基端部５ａを差し込んで固着することができる。
また、箒のように、剛毛５の基端部５ａを束に編んでも良いが、図６に示すように、前記植毛穴６に数本を束にした剛毛５の基端部５ａを差し込んで固着することができる。
こうすると、製造するときに剛毛５を前記散布カバー３の先端部３ｂに固定しやすくなる。
【００１９】
また、図２、図３、図５及び図７に示すように、前記散布カバー３の先端部３ｂの外面３ｅ又は内面３ｃに剛毛５の基端部５ａを固着することもきる。
この場合、図３及び図７に示すように、前記散布カバー３の先端部３ａの外面３ｅ又は内面３ｃに、剛毛５の基端を略同間隔に幅を持たせて外面３ｅ又は内面３ｃに接触状態に配設するとともに該剛毛５の基端部５ａを外面３ｅ又は内面３ｃの先端部３ｂの中間部位に固着することができる。
【００２０】
さらに、図８に示すように、剛毛５を並べた剛毛固着板１５が散布カバー３の先端部３ｂへ着脱可能なので、使用中に剛毛５の一部が損傷した場合その部分の修理が簡単にでき、また製造上において、散布カバー３の先端部３ｂに剛毛５を直接固定するのは面倒であるが、先に剛毛付き剛毛固着板１５を作成して置けばそのまま散布カバーの先端部３ｂへ固定手段を用いて簡単に装着可能となる利点がある。
前記固定手段は、ネジや糸を用いて固着できるので各種可能であるが、例えば、図８に示すように、前記剛毛５を固着した剛毛固着板１５にボルト孔１６を設け、この孔１６と対応したボルト孔１８を散布カバー３の側面壁に設け、重ね合わせた両ボルト孔１６、１８に固定ボルト１７を貫通させナットで固定できるようにすることができる。
なお、剛毛５は剛毛固着板１５先端面に設けた剛毛差込溝２０に、並べたて差し込み、その剛毛固着板１５の溝部分を剛毛固着リベット１９で固定することが可能である。
この剛毛固着板１５は合成樹脂製や金属製が使用できるが、その材質は各種使用する薬液に犯されない材質のものが好ましい。
【００２１】
そして、図１２に示すように、散布の際に粒子と共に噴出された空気は剛毛の僅かに変形した狭い隙間から拡散されるが、剛毛５が草１４や地面１３などに当たると、その部分のみの剛毛が変形するが、その変形は、前記噴霧カバー３の先端部３ｂから上に離れた部分から起こるので、その分がクッションとなり、剛毛５の基部５ａへの直接強い変形が起こらず使用寿命が長くなる利点がある。
【００２２】
また、図９の（イ）に示すように、前記剛毛５の先端部５ｂから基端部５ａまで同径の合成樹脂製の材料と、図９の（ロ）に示すように、前記剛毛５の先端部５ｂに、０．２ｍｍ〜０．５ｍｍ程度で且つ基端部５ａがそれよりも太い径の合成樹脂製材料のいずれも使用することができる。この場合の隙間のできかたは、草１４や地面１３などに当たると、前者では図９の（イ）に示すように、剛毛５の基端部５ａに近い部分まで隙間ができやすいが、後者では、図９の（ロ）に示すように、剛毛５の基端部５ａに近い部分には隙間ができずにより飛散を防止することができるようになる。
【００２３】
前記剛毛５は、噴霧圧力では捲くれ上がらない程度の強度を備えるとともに固体に当たると変形する程度の弾力性を備えなければならないので、合成樹脂が好ましいが、その機能を満足できるものであれば、数本に繊維を編んで一体化したものや、動物の毛や金属製のもであっても良い。
通常前記剛毛５の長さは１０ｃｍ程度長さが使用しやすいが、散布対象植物１４の背丈は高い場合にはその高さに合わせた長さの剛毛５を使用すると良い。
前記剛毛５の材質は、草などに当たると変形し、その変形が復元されるときに粒子を弾き飛ばすくらいの弾力性があるものが好ましい。なお、その材質は各種使用する薬液に犯されない材質のものが好ましい。
【００２４】
そして本考案を使用すると、図１０及び図１１に示すように、前記散布カバー３の先端部に飛散遮断部４の剛毛５が散布カバー３の先方内部空間を覆うように全周にほぼ隙間なく並べて被着してあるので、その剛毛が草１４や地面１３などに当たるとその部分だけが湾曲し、他の部分は変形しないで揃った状態となって飛散する隙間の発生が極力防止される結果、噴霧された液体や散布された粉体の細かい薬剤粒子の散布カバー３の内部空間外への飛散は殆ど漏れなく遮断される。
しかし、散布中に剛毛が届かない草１４の下側には隙間ができてしまい、この部分から周囲への薬剤の飛散を完全に遮断することはできないが、その部分を通過するとすぐに変形していた剛毛５が復元するので、一旦生じた隙間はすぐに遮断される結果、飛散漏れは極めて少なく抑えることが可能となる。
この飛散遮断作用は、上記特許文献２に記載のように板状の遮蔽板によるものでは、たとえゴムなどで柔軟性を多少備えたとしても全くできないことである。
【００２５】
また、散布の際に粒子と共に噴出された空気は剛毛の僅かに変形した狭い隙間から拡散されるので前記散布カバー３の内部空間内の散布圧が高まることなく噴出口２から噴霧されるので、前記散布機１１の噴霧機能に支障を起こすことはない。
また、前記図１に示される散布機１１で使用する薬剤は、液状のものであるが、他にも粉状の散布機や泡状の散布機など、各種散布機の噴出口２から散布される霧状、埃状、泡状に散布においても使用でき、その場合にはそれらの薬剤誘導パイプの噴出口２の形状に合わせて装着された散布カバー３に使用することができる。
【産業上の利用可能性】
【００２６】
本発明の薬剤散布ノズル用薬剤飛散防止装置は農薬などの薬剤散布用の散布カバーに関するものであるが、本装置は、この他にも各種液体や粉体物質を散布させるノズルに対して、使用する散布物質が周囲へ飛散するの防止するために使用することも可能である。
【図面の簡単な説明】
【００２７】
【図１】本考案の使用状態を示す斜視図である。
【図２】本考案の部分断面斜視図である。
【図３】別の形態の部分断面斜視図である。
【図４】本考案の縦断側面図である。
【図５】飛散遮断部の要部を示す部分断面斜視図である。
【図６】別の飛散遮断部の形態の要部を示す部分断面斜視図である。
【図７】別の飛散遮断部の形態の要部を示す部分断面斜視図である。
【図８】着脱可能な飛散遮断部の形態の要部を示す部分断面斜視図である。
【図９】（イ）が均一な径の剛毛で（ロ）が先端部の径が細い剛毛の使用状態を示す各側面図である。
【図１０】使用状態を示す縦断側面図である。
【図１１】図９の形態の別角度から見た使用状態を示す縦断側面図である。
【図１２】別の形態の使用状態を示す縦断側面図である。
【符号の説明】
【００２８】
１      薬剤誘導パイプ
１ａ    薬剤誘導パイプの先端部
２      噴出口
３      散布カバー
３ａ    散布カバーの基端部
３ｂ    散布カバーの先端部
３ｃ    散布カバーの内面
３ｄ    散布カバーの先端縁
３ｅ    散布カバーの外面
４      飛散遮断部
５      剛毛
５ａ    剛毛の基端部
５ｂ    剛毛の先端部
６      植毛穴
７      結束縫い糸
８      縫い当板
９      縫い当紐
１０    カバー固定部
１１    農薬タンク
１２    送薬パイプ
１３    地面
１４    草
１５    剛毛固着板
１６    ボルト孔
１７    固定ボルト
１８    ボルト孔
１９    剛毛固着リベット
２０    剛毛差込溝
【図１】
0003128425.tif 000003
【図２】
0003128425.tif 000004
【図３】
0003128425.tif 000005
【図４】
0003128425.tif 000006
【図５】
0003128425.tif 000007
【図６】
0003128425.tif 000008
【図７】
0003128425.tif 000009
【図８】
0003128425.tif 000010
【図９】
0003128425.tif 000011
【図１０】
0003128425.tif 000012
【図１１】
0003128425.tif 000013
【図１２】
0003128425.tif 000014